【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
ガスが貯蔵された高圧タンクと、該高圧タンクに接続して前記ガスを輸送する配管と、のいずれかの場所でガス漏れが有るか無いかを診断するガス漏れ診断装置であって、
前記高圧タンクに設けられた第１ガス圧センサ及び前記配管に設けられた第２ガス圧センサからの前記ガスの圧力値を取得するデータ取得部と、
該データ取得部により取得された圧力Ｐ１と、該圧力Ｐ１の取得から予め定められた設定時間が経過したときに取得された圧力Ｐ２と、から差圧値を求め、該差圧値と設定閾値と比較することにより、前記差圧値が前記設定閾値を超過したかしないかを検定結果として得る差圧検定部と、
互いに重複しない時間帯における少なくとも前後２つの前記検定結果が共に超過の場合、ガス漏れと判定し、
前記第１ガス圧センサから取得して求められた前記差圧値が設定閾値を超過した旨の検定結果と、前記第２ガス圧センサから取得して求められた前記差圧値が設定閾値を超過した旨の検定結果と、がともに得られた場合は、互いに重複しない時間帯における次の検定結果を得る前にガス漏れと判定する判定部と、
を備えることを特徴とするガス漏れ診断装置。  
【請求項２】
ガスが貯蔵された高圧タンクと、該高圧タンクに接続して前記ガスを輸送する配管と、のいずれかの場所でガス漏れが有るか無いかを診断するガス漏れ診断装置であって、
前記高圧タンクに設けられた第１ガス圧センサ及び前記配管に設けられた第２ガス圧センサからの前記ガスの圧力値を取得するデータ取得部と、
該データ取得部により取得された圧力Ｐ１と、該圧力Ｐ１の取得から予め定められた設定時間が経過したときに取得された圧力Ｐ２と、から差圧値を導出する差圧導出部と、
互いに重複しない時間帯において導出された少なくとも前後２つの前記差圧値が共に設定閾値を超過した場合、ガス漏れと判定し、
前記第１ガス圧センサから取得して求められた前記差圧値が設定閾値を超過し、かつ前記第２ガス圧センサから取得して求められた前記差圧値が設定閾値を超過した場合は、互いに重複しない時間帯における次の差圧値導出の前にガス漏れと判定する判定部と、
を備えることを特徴とするガス漏れ診断装置。
【請求項３】
前記ガスは、車両用の燃料ガスであることを特徴とする請求項１又は請求項２に記載のガス漏れ診断装置。
【請求項４】
前記第１ガス圧センサ及び前記第２ガス圧センサは、歪ゲージを構成要素に含むガス圧センサであることを特徴とする請求項１から請求項３のいずれか１項に記載のガス漏れ診断装置。
【請求項５】
前記互いに重複しない時間帯における少なくとも前後２つの前記差圧値と前記設定閾値との比較について、前後する一方は、前記差圧値が前記設定閾値を超過するものであり、前後する他方は、前記差圧値が前記設定閾値を超過するものでない場合は、
前記超過は、ベースラインのオフセット異常とみなし、データ取得部が取得した前記圧力値に対し補正を実施する補正部を備えることを特徴とする請求項１から請求項４のいずれか１項に記載のガス漏れ診断装置。
【請求項６】
ガスが貯蔵された高圧タンクと、該高圧タンクに接続して前記ガスを輸送する配管と、のいずれかの場所でガス漏れが有るか無いかを診断するガス漏れ診断装置のガス漏れ診断方法であって、
前記ガス漏れ診断装置は、
前記高圧タンクに設けられた第１ガス圧センサ及び前記配管に設けられた第２ガス圧センサからの前記ガスの圧力値を取得するデータ取得部と、
該データ取得部により取得された圧力Ｐ１と、該圧力Ｐ１の取得から予め定められた設定時間が経過したときに取得された圧力Ｐ２と、から差圧値を求め、該差圧値と設定閾値と比較することにより、前記差圧値が前記設定閾値を超過したかしないかを検定結果として得る差圧検定部と、
ガス漏れを判定する判定部と、を備えており、
前記判定部は、
互いに重複しない時間帯における少なくとも前後２つの前記検定結果が共に超過の場合、ガス漏れと判定し、
前記第１ガス圧センサから取得して求められた前記差圧値が設定閾値を超過した旨の検定結果と、前記第２ガス圧センサから取得して求められた前記差圧値が設定閾値を超過した旨の検定結果と、がともに得られた場合は、互いに重複しない時間帯における次の検定結果を得る前にガス漏れと判定すること、
を特徴とするガス漏れ診断方法。  
【請求項７】
ガスが貯蔵された高圧タンクと、該高圧タンクに接続して前記ガスを輸送する配管と、のいずれかの場所でガス漏れが有るか無いかを診断するガス漏れ診断装置のガス漏れ診断方法であって、
前記ガス漏れ診断装置は、
前記高圧タンクに設けられた第１ガス圧センサ及び前記配管に設けられた第２ガス圧センサからの前記ガスの圧力値を取得するデータ取得部と、
該データ取得部により取得された圧力Ｐ１と、該圧力Ｐ１の取得から予め定められた設定時間が経過したときに取得された圧力Ｐ２と、から差圧値を導出する差圧導出部と、
ガス漏れを判定する判定部と、を備えており、
前記判定部は、
互いに重複しない時間帯において導出された少なくとも前後２つの前記差圧値が共に設定閾値を超過した場合、ガス漏れと判定し、
前記第１ガス圧センサから取得して求められた前記差圧値が設定閾値を超過し、かつ前記第２ガス圧センサから取得して求められた前記差圧値が設定閾値を超過した場合は、互いに重複しない時間帯における次の差圧値導出の前にガス漏れと判定すること、
を特徴とするガス漏れ診断方法。
【手続補正２】
【補正対象書類名】明細書
【補正対象項目名】０００７
【補正方法】変更
【補正の内容】
【０００７】
前記した課題を解決するために本発明は、ガスが貯蔵されている高圧タンク及びこの高圧タンクに接続して前記ガスを輸送する配管のガス漏れを診断するガス漏れ診断装置であって（請求項１）、このガス漏れ診断装置は、（１）互いに重複しない時間帯における少なくとも前後２つの前記検定結果が共に超過の場合、ガス漏れと判定し、（２）前記第１ガス圧センサから取得して求められた前記差圧値が設定閾値を超過した旨の検定結果と、前記第２ガス圧センサから取得して求められた前記差圧値が設定閾値を超過した旨の検定結果と、がともに得られた場合は、互いに重複しない時間帯における次の検定結果を得る前にガス漏れと判定することを特徴とする。  または、ガスが貯蔵されている高圧タンク及びこの高圧タンクに接続して前記ガスを輸送する配管のガス漏れを診断するガス漏れ診断装置であって（請求項２）、（１）互いに重複しない時間帯において導出された少なくとも前後２つの前記差圧値が共に設定閾値を超過した場合、ガス漏れと判定し、（２）前記第１ガス圧センサから取得して求められた前記差圧値が設定閾値を超過し、かつ前記第２ガス圧センサから取得して求められた前記差圧値が設定閾値を超過した場合は、互いに重複しない時間帯における次の差圧値導出の前にガス漏れと判定することを特徴とする。
【手続補正３】
【補正対象書類名】明細書
【補正対象項目名】０００８
【補正方法】変更
【補正の内容】
【０００８】
かかる構成により、ガスが正常に消費され、ガス漏れが発生していない状態にあっては、設定時間を挟んだ前後において差圧は、設定閾値を超過しないので、ガス漏れ診断されることはない。
そして、ガス漏れが発生し、差圧が設定閾値を超過し、時間的に重ならない異なる時間帯（互いに重複しない時間帯）における他の差圧も設定閾値を超過している場合は、ガス漏れと判定し、早期診断によりガス漏れが察知される。
また、燃料ガスの圧力値に設定閾値を超過するオフセット異常が発生した場合であっても、時間的に重ならない異なる時間帯（互いに重複しない時間帯）における他の差圧が設定閾値を超過していなければ、ガス漏れと判定されず、誤診断とならない。
【手続補正４】
【補正対象書類名】明細書
【補正対象項目名】００１１
【補正方法】変更
【補正の内容】
【００１１】
なお、前記した請求項１と請求項２の本発明のガス漏れ診断装置においては、前記高圧タンク側に設けられた第１ガス圧センサが出力した第１圧力値の前記差圧が設定閾値を超過する旨の検定がなされ、さらに前記配管側に設けられた第２ガス圧センサが出力した第２圧力値の前記差圧も設定閾値を超過する旨の検定がなされれば、判定手段は、前記差圧の次の検定を待たずにガス漏れ判定をすることを特徴とする。
【手続補正５】
【補正対象書類名】明細書
【補正対象項目名】００１８
【補正方法】変更
【補正の内容】
【００１８】
＜＜第１実施形態（参考実施形態）＞＞
以下、図面を参照して本発明のガス漏れ診断装置の実施形態を詳細に説明する。図１は本発明に係る第１実施形態のガス漏れ診断装置を搭載した車両の実施形態を示すブロック図である。なお、この第１実施形態は、後記するように、ガス圧センサが１つである点において、参考実施形態である。
図１に示すように、車両本体１０は、高圧に圧縮された燃料ガス（水素）が貯蔵されている高圧タンク１１と、この高圧タンク１１に接続し燃料ガスを燃料電池１３に輸送するアノード系配管２０と、酸化性ガス（エア）を燃料電池１３に輸送するカソード系配管３０と、車内ＬＡＮを介して各種電装部品に接続し車両本体１０の制御を統括するＥＣＵ１５と、燃料ガスのガス漏れを診断するガス漏れ診断装置４０とを含む構成をとる。
【手続補正６】
【補正対象書類名】明細書
【補正対象項目名】００３６
【補正方法】変更
【補正の内容】
【００３６】
＜＜第２実施形態（参考実施形態）＞＞
次も、参考実施形態である第２実施形態のガス漏れ診断装置を説明する。図３は、第２実施形態のガス漏れ診断装置の動作を示すフローチャートである。なお、第１実施形態と共通部分は、文中に図１で使用したのと同じ符号を付して説明を省略する。